(57)【要約】【課題】入浴時に肩や背中などのマッサージを行うことができるマッサージ機能付き浴槽を提供する。【解決手段】浴槽における長手方向一側の第１端壁１に、入浴者の背中に当接する背当部７を斜め上方に向けて傾斜した状態に形成すると共に、第２端壁２側の位置に、足裏を押し当てるための左右一対の足当部１４，１４を形成し、上記背当部７には背中押圧用の複数の突子８と肩押圧用の左右一対の肩当片９，９とを形成して、上記足当部１４，１４に足裏を強く押し当てたときの反作用力で背中及び肩を上記突子８と肩当片９，９とに圧接可能とする。【選択図】図２
2007202578.tif 000002
【特許請求の範囲】
【請求項１】
長手方向一側の第１端壁と、反対側の第２端壁と、左右の側壁と、底壁とを有し、上記第１端壁には、入浴者の背中に当接する背当部が斜め上方に向けて傾斜した状態に形成され、また、上記第２端壁側の位置には、足裏を押し当てるための足当部が左右に形成されていて、
上記背当部には、背中押圧用の複数の突子が一体に形成されると共に、該背当部の上端側の位置に、肩を押圧するための左右一対の肩当片が上記突子よりも高く立ち上がった状態に形成され、
上記足当部には、その前面に、入浴者が膝を折り曲げた姿勢で足裏を無理なく押し当てることができる程度に斜め上向きに傾斜する踏面を有し、この踏面には足裏を押圧するための複数の突子が一体に形成され、この踏面に足裏を強く押し当てたときの反作用力で背中及び肩を上記背中押圧用の突子と肩当片とに圧接可能とされている、
ことを特徴とするマッサージ機能付き浴槽。
【請求項２】
上記肩当片が、上記背当部から立ち上がった基部と、この基部の先端から背当部に沿う方向に突出して肩に当接する先端当接部とからなることを特徴とする請求項１に記載の浴槽。
【請求項３】
上記足当部が、上記第２端壁よりも槽中央寄りの位置に左右の側壁に沿って形成されていることを特徴とする請求項１又は２に記載の浴槽。
【請求項４】
上記足当部が、上記第２端壁に形成されていることを特徴とする請求項１又は２に記載の浴槽。
【発明の詳細な説明】
【技術分野】
【０００１】
本発明はマッサージ機能付き浴槽に関するものである。
【背景技術】
【０００２】
入浴時にマッサージ効果が得られるようにするため、例えば特許文献１には、表面に複数の突起を備えたマットを浴槽の槽壁に取り付け、入浴中に背中や足裏などを上記突起に押し当てることによってツボを刺激するようにしたものが開示されている。
【０００３】
ところが、このように別構成されたマットを槽壁内面に取り付ける方法は、該マットを着脱する際に槽壁を傷付け易く、特に、槽壁の低い位置にマットを着脱するような場合に無理な姿勢で作業を行うため、擦れて槽壁を傷付け易い。また、使用時に身体による大きな力が作用することによってマットがずれ動いたり外れたりし易いため、使用性が悪いという欠点もある。さらに、突起で単に背中や足裏等を刺激するだけで、肩をマッサージすることができないため、十分なマッサージ効果を得ることも難しい。
【特許文献１】登録実用新案第３０４０１３７号公報
【発明の開示】
【発明が解決しようとする課題】
【０００４】
そこで本発明の目的は、上述した従来の欠点に鑑み、突起付きのマットを無理に取り付けなくても身体のマッサージを行うことができると共に、肩のマッサージをも可能にして十分なマッサージ効果が得られるようにした、マッサージ機能付き浴槽を提供することにある。
【課題を解決するための手段】
【０００５】
上記目的を達成するため、本発明の浴槽は、長手方向一側の第１端壁と、反対側の第２端壁と、左右の側壁と、底壁とを有し、上記第１端壁には、入浴者の背中に当接する背当部が斜め上方に向けて傾斜した状態に形成され、また、上記第２端壁側の位置には、足裏を押し当てるための足当部が左右に形成されていて、上記背当部には、背中押圧用の複数の突子が一体に形成されると共に、該背当部の上端側の位置に、肩を押圧するための左右一対の肩当片が上記突子よりも高く立ち上がった状態に形成され、上記足当部には、その前面に、入浴者が膝を折り曲げた姿勢で足裏を無理なく押し当てることができる程度に斜め上向きに傾斜する踏面を有し、この踏面には足裏を押圧するための複数の突子が一体に形成され、この踏面に足裏を強く押し当てたときの反作用力で背中及び肩を上記背中押圧用の突子と肩当片とに圧接可能とされていることを特徴とするものである。
【０００６】
本発明において、上記肩当片は、上記背当部から立ち上がった基部と、該基部の先端から背当部に沿う方向に突出して肩に当接する先端当接部とで形成することができる。
【０００７】
また、上記足当部は、上記第２端壁よりも槽中央寄りの位置に左右の側壁に沿って形成されていても、上記第２端壁に形成されていても良い。
【発明の効果】
【０００８】
本発明によれば、背当部を斜め上方に向けて傾斜させた状態に形成し、ここに背中押圧用の突子を一体に形成すると共に、肩押圧用の肩当片を設けたので、ゆったりとリラックスした入浴姿勢のまま上記突子と肩当片とで背中と肩とを押圧することができ、従って、従来のように突起付きのマットを槽壁に無理に取り付けなくても、背中及び肩のマッサージを効果的に行うことができる。
また、足裏を押し当てるための左右の足当部を槽内に形成し、これらの足当部に足裏を強く押し当てたときの反作用力で背中及び肩を上記突子と肩当片とに圧接可能なるように構成したので、これらの突子と肩当片とによるマッサージ力を自分で最適な大きさに簡単に調整することができ、しかも、滑り易い浴槽の側壁や底壁等に足裏を直接押し当てる場合に比べて非常に安全である。
【発明を実施するための最良の形態】
【０００９】
図１及び図２は、本発明に係るマッサージ機能付き浴槽の第１実施形態を示すものである。この浴槽Ａは、一方向に細長く形成されていて、その長手方向一側の第１端壁１と、反対側の第２端壁２と、左右の側壁３，３と、底壁４とを有している。図中５は、上記各壁の上端部に形成されて浴槽の回りを取り囲むフランジ状の縁部である。
【００１０】
上記第１端壁１には、入浴者の背中に当接する背当部７が斜め上方に向けて傾斜した状態に形成され、この背当部７の槽内側の側面に、背中を押圧するための複数の突子８が一体に形成されると共に、該背当部７の上端部側の位置に、肩を押圧するための左右一対の肩当片９，９が、相互間にほぼ肩幅に応じた間隔を保って一体に形成されている。なお、上記背中押圧用の突子８群のうち背当部７の上端部寄りの位置にある一部の突子は、首を押圧することもできるものである。
【００１１】
上記背中押圧用の突子８は、身体に過度の刺激が加わらないような滑らかな表面形状及び高さに形成されており、例えば、球の一部や楕円体の一部のような滑らかな部分球面状の表面形状を有するように形成されている。この突子８の配列パターンは任意であるが、入浴者の首から腰の近くに至る範囲に分布させることが望ましい。
【００１２】
また、上記肩押圧用の肩当片９は、図３に示すように、背中押圧用の突子８よりも高さを高く形成されていて、上記背当部７から立ち上がった基部９ａと、該基部９ａの先端からほぼ背当部７に沿う方向に突出して肩に当接する先端当接部９ｂとからなっている。この先端当接部９ｂは、肩に過度に食い込んで必要以上の強い刺激が加わることがないように、表面が滑らかな曲面に形成されている。
なお、上記背当部７の上端部か上記縁部５上の位置には、入浴者の後頭部を支持する支持部１０を一体に形成しても良い。
【００１３】
図中１２は入浴者の臀部を支持する座部であって、上記背当部７の下端から底壁４に沿って延出するように形成され、該底壁４よりも若干高くなっている。また、１３は入浴者が腕を載せるための肘掛け部であって、左右の側壁３，３の内面の上記背当部７と座部１２とに対応する位置に形成されている。
【００１４】
浴槽内の上記第２端壁２よりも槽中央寄りの位置には、足裏を押し当てるための左右一対の足当部１４，１４が、左右の側壁３，３の内面に沿うように形成されている。この足当部１４，１４は、左右両側壁３，３の下端部に、底壁４に沿って浴槽の内側に張り出すように形成されていて、その前面に斜め上向きに傾斜する踏面１４ａを有しており、この傾斜する踏面１４ａに、図２に鎖線で示すように、入浴者が膝を折り曲げた入浴姿勢で足裏のほぼ全体を無理なく押し当てることができると共に、該足裏を強く押し当てることができるようになっている。この足当部１４，１４は、足裏に対するマッサージ効果を得る目的のほか、それらの踏面１４ａに足裏を強く押し当てたときの反作用力で背中及び肩を上記各突子８及び肩当片９，９に圧接させる目的のために形成されたものであり、このためこの踏面１４ａは、少なくとも凹凸のある粗面とすることによって滑りにくくする必要があるが、好ましくは、上記背中押圧用の突子８と同様の部分球面状の表面形状を有する突子か、横向き（水平方向）に延びる畝状の突子を形成しておくことが望ましい。図示した例では畝状の突子１５が形成されている。
【００１５】
また、浴槽の上記第２端壁２には、その下端部寄りの位置に、足裏押圧用の複数の突子１８ａ，１８ｂを一体に備えた第２の足当部１７が形成されている。この第２の足当部１７は、入浴者が図２に鎖線で示すように上記第１の足当部１４，１４に足裏を当接させる場合よりは、膝を大きく延ばしたゆったりとした姿勢で足裏を当接させられるようにするためのものである。図示の例では、上記第２端壁２の幅全体わたりこの第２の足当部１７が形成されていて、その中央部に、部分球面状の表面形状を有する複数の突子１８ａが形成され、その両側の部分に、横向き（水平方向）に延びる畝状の突子１８ｂが形成されているが、全部の突子が部分球面状の表面形状を有するものであっても、あるいは畝状であっても構わない。あるいは、このように第２の足当部１７を第２端壁２の幅全体わたって形成することなく、中央部だけに部分的に形成しても良い。
【００１６】
上記構成を有する浴槽Ａは、背当部７を斜め上方に向けて傾斜させた状態に形成し、ここに背中押圧用の複数の突子８を一体に形成すると共に、肩押圧用の一対の肩当片９，９をも設けているため、入浴者がゆったりとリラックスした入浴姿勢のまま上記突子８と肩当片９，９とで背中と肩とを押圧することができるものである。従って、従来のように突起付きのマットを槽壁に無理に取り付けることなく、背中及び肩のマッサージを簡単且つ効果的に行うことができる。
【００１７】
しかも、足裏を押し当てるための左右一対の足当部１４，１４を槽内に形成し、これらの足当部１４，１４に足裏を強く押し当てたときの反作用力によって背中及び肩を上記突子８と肩当片９，９とに圧接可能なるように構成されているため、これらの突子８と肩当片９，９とによるマッサージ力を自分で最適な大きさに簡単に調整することができ、しかも、滑り易い浴槽の側壁や底壁等に足裏を直接押し当てる場合に比べ、非常に安全性が高いという利点もある。
【００１８】
図４は本発明の第２実施形態を示すもので、この第２実施形態の浴槽Ｂは、上記第１実施形態の浴槽Ａより長手方向の寸法が小さい小形の浴槽であり、このため、背中及び肩を突子８と肩当片９，９とに圧接させるべく踏圧を発生させるための足当部１４，１４が、第２端壁２に形成されている。即ち、該浴槽Ｂにおける第２端壁２の下端の左右両端部寄りの位置に、突子１５を備えた一対の上記足当部１４，１４が形成されている。図示した例では、これらの足当部１４，１４の間の部分にも、突子２１を有する足当部２０が形成されてれいるが、この足当部２０はなくても良い。
この第２実施形態の浴槽Ｂにおける上記以外の構成は実質的に第１実施形態と同じであるから、第１実施形態と同一の主要な構成部分にこの第１実施形態の場合と同じ符号を付してその説明は省略する。
【００１９】
なお、上記各実施形態では、上記肩押圧用の一対の肩当片９，９が背当部７と一体に形成されているが、この突子は、槽壁とは別の部材に形成し、この部材を槽壁に対して嵌め付けやフックによる係止あるいは吸着等の方法で着脱自在としても良い。この場合、該突子は槽壁のほぼ上端部近くに位置しているため、それを別部材に形成しても槽壁に対する着脱は比較的容易である。
【図面の簡単な説明】
【００２０】
【図１】本発明に係る浴槽の第１実施形態を示す平面図である。
【図２】図１の断面図である。
【図３】図２の要部拡大図である。
【図４】本発明に係る浴槽の第２実施形態を示す平面図である。
【符号の説明】
【００２１】
Ａ，Ｂ      浴槽
１      第１端壁
２      第２端壁
３      側壁
４      底壁
７      背当部
８      突子
９      肩当片
９ａ      基部
９ｂ      先端当接部
１４      足当部
１５      突子
【図１】
2007202578.tif 000003
【図２】
2007202578.tif 000004
【図３】
2007202578.tif 000005
【図４】
2007202578.tif 000006